(57)【要約】      （修正有）【課題】異なる光学特性を有する複数の種類の光記録媒体に対する各々の発光部及び受光部の配置を工夫することにより、光学ドライブ装置の小型化、省スペース化が可能な光ピックアップ装置を提供する。【解決手段】本体部が光記録媒体の中心から最遠部位に至ったときに、本体部と筐体の角部によって作られる有効空間に第一の発光部及び第一の受光部と、第二の発光部及び第二の受光部の一方が設けられる、光ピックアップ装置。【選択図】図４
2010225206.tif 000002
【特許請求の範囲】
【請求項１】
筐体に設けられる光ピックアップ装置であって、
前記筐体内部に光記録媒体が装着可能であって、装着時の該光記録媒体の径方向に、該光記録媒体の中心から該筐体の角部方向に移動可能であり、前記光ピックアップ装置の光学素子を搭載可能な本体部と、
前記本体部に設けられ、それぞれ波長の異なるレーザ光を発光する第一及び第二の発光部と、
前記本体部の中央部に設けられ、前記第一及び第二の発光部が発光したレーザ光を前記光記録媒体の記録面に集光し、該光記録媒体からの反射光を集光する第一及び第二の対物レンズと、
前記本体部に設けられ、前記第一及び第二の対物レンズが集光した反射光を各々受光する第一及び第二の受光部と、を備え、
前記本体部が前記光記録媒体の中心から最遠部位に至ったときに、前記本体部と前記筐体の角部によって作られる有効空間に前記第一の発光部及び前記第一の受光部と、前記第二の発光部及び前記第二の受光部の一方が設けられる、
光ピックアップ装置。
【請求項２】
前記第一の発光部及び前記第一の受光部と、前記第二の発光部及び前記第二の受光部の他方は、前記第一の発光部及び前記第一の受光部と、前記第二の発光部及び前記第二の受光部の一方と、前記第一及び第二の対物レンズを挟むように配置される、
請求項１に記載の光ピックアップ装置。
【請求項３】
前記第一の発光部及び前記第一の受光部と、前記第二の発光部及び前記第二の受光部は、前記第一及び第二の対物レンズを基準として、点対称に配置される、
請求項１に記載の光ピックアップ装置。
【請求項４】
前記第一の発光部及び前記第一の受光部と、前記第二の発光部及び前記第二の受光部の少なくともどちらか一方は、該発光部と該受光部が一体となった受発光部である、
請求項１から３の何れか一項に記載の光ピックアップ。
【請求項５】
前記第一の発光部は、青色系のレーザ光を発光し、
前記第二の発光部は、赤色系のレーザ光を発光し、
前記本体部が前記光記録媒体の中心から最遠部位に至ったときに、前記有効空間に前記第二の発光部及び前記第二の受光部が設けられる、
請求項１から４の何れか一項に記載の光ピックアップ装置。
【請求項６】
可動することにより前記第一の対物レンズの焦点距離を微調整するコリメートレンズと、
前記コリメートレンズを可動させるコリメートレンズ用モータ部と、を更に備える、
請求項１から５の何れか一項に記載の光ピックアップ装置。
【請求項７】
互いに平行に位置し、前記本体部を移動させる主軸と副軸とを更に備え、
前記主軸は、前記第二の発光部及び前記第二の受光部側に設けられ、
前記副軸は、前記第一の発光部及び前記第一の受光部側に設けられる、
請求項６に記載の光ピックアップ装置。
【請求項８】
前記コリメートレンズと前記コリメートレンズ用モータ部は、前記副軸側に設けられる、
請求項７に記載の光ピックアップ装置。
【請求項９】
請求項１から８の何れか一項に記載の光ピックアップ装置と、
前記筐体の内部に設けられ、前記光ピックアップ装置及び前記光記録媒体が設置されるドライブベースと、
前記ドライブベースの外部と前記筐体の内部の間に設けられ、該ドライブベース及び前記光ピックアップ装置に伝わる振動を緩和する振動緩和部と、を備え、
前記振動緩和部は、前記角部の端部側に設けられ、
前記有効空間は、前記角部の内側に設けられる、
光学ドライブ装置。
【請求項１０】
請求項９に記載の光学ドライブ装置は、車載器の一部として設けられる、
光学ドライブ装置。
【発明の詳細な説明】
【技術分野】
【０００１】
本発明は、光ピックアップ装置及び光学ドライブ装置に関する。
【背景技術】
【０００２】
近年、高密度光記録媒体であるブルーレイディスクの出現により、異なる光学特性を有する複数の種類の光記録媒体に対して、記録／再生を可能にするための光記録媒体装置用の光ピックアップ装置が開発されている（特許文献１から５を参照）。光ピックアップ装置は、異なる光学特性を有する複数種類の光記録媒体に対応した１つの対物レンズを搭載する方法よりも、複数種類の光記録媒体に対応した対物レンズを複数搭載する方法の方が、光ピックアップ装置の薄型化という観点において優れている。
【先行技術文献】
【特許文献】
【０００３】
【特許文献１】特開平１０−６４１０７号公報
【特許文献２】特開２００６−３０９９１１号公報
【特許文献３】特開２００１−１０１６９２号公報
【特許文献４】特開平０９−３０６０２１号公報
【特許文献５】特開平１０−３０２３０４号公報
【発明の概要】
【発明が解決しようとする課題】
【０００４】
図１は、従来の光ピックアップ装置２００を示す概略上面図である。従来の光ピックアップ装置２００は、図１に示すように、光記録媒体の中心からドライブベースの角部方向（不図示）に送り軸が配置され、送り軸は、主軸３１と、主軸３１を補助する副軸３２とを平行に有する。また、光記録媒体と接触しない主軸３１側に、主軸３１を可動させる軸用モータ部（不図示）が備えられる。更に、従来の光ピックアップ装置２００は、赤色系の光記録媒体（ＣＤやＤＶＤ）に対応する対物レンズ２７と、青色系の光記録媒体（ＨＤ−ＤＶＤやブルーレイディスク）に対応する対物レンズ２４が、主軸３１側に設けられる。そして、赤色系の光記録媒体に対応する受発光部３６と、青色系の光記録媒体に対応する発光部２２及び受光部２１が、副軸３２側に設けられる。
【０００５】
また、光ピックアップ装置２００は、赤色径の光記録媒体に対応する受発光部３６から発光されるレーザ光を集光し平行とするコリメートレンズが設けられる（不図示）。一方、青色系の光記録媒体に対応する発光部２２から発光されるレーザ光を集光し平行とするコリメートレンズ２８が設けられるが、コリメートレンズ２８は、可動することにより対物レンズ２４の焦点距離を微調整し、該コリメートレンズ２８を可動させるコリメートレンズ用モータ２９が必要である。その結果、従来の光ピックアップ装置２００は、多くの部品が設けられることによりサイズが大きくなってしまう。従って、光ピックアップ装置２００と筐体３との干渉を回避するために、光学ドライブ装置１のサイズを大きくしなければならないという問題がある。
【０００６】
更に、光学ドライブ装置が車載器の一部として設けられる際は、事実上車載機器業界の標準規格であるＤＩＮ規格の内、光学ドライブ装置の取り付けサイズは、高さ５０ｍｍ×幅１７８ｍｍであり、小型化が必須である。また、光学ドライブ装置の奥行きに関しても、車に搭載される他の車載機器との関係上、制約事項が多い。
【０００７】
そこで、本発明では、上記した問題に鑑み、異なる光学特性を有する複数の種類の光記
録媒体に対する各々の発光部及び受光部の配置を工夫することにより、光学ドライブ装置の小型化、省スペース化が可能な光ピックアップ装置を提供することを目的とする。
【課題を解決するための手段】
【０００８】
本発明は、上述した課題を解決するために、光ピックアップ装置が設けられる筐体の有効空間を利用する点を工夫した。これにより、光学ドライブ装置の小型化、省スペース化が可能な光ピックアップ装置を提供することが可能である。
【０００９】
詳細には、筐体に設けられる光ピックアップ装置であって、前記筐体内部に光記録媒体が装着可能であって、装着時の該光記録媒体の径方向に、該光記録媒体の中心から該筐体の角部方向に移動可能であり、前記光ピックアップ装置の光学素子を搭載可能な本体部と、前記本体部に設けられ、それぞれ波長の異なるレーザ光を発光する第一及び第二の発光部と、前記本体部の中央部に設けられ、前記第一及び第二の発光部が発光したレーザ光を前記光記録媒体の記録面に集光し、該光記録媒体からの反射光を集光する第一及び第二の対物レンズと、前記本体部に設けられ、前記第一及び第二の対物レンズが集光した反射光を各々受光する第一及び第二の受光部と、を備え、前記本体部が前記光記録媒体の中心から最遠部位に至ったときに、前記本体部と前記筐体の角部によって作られる有効空間に前記第一の発光部及び前記第一の受光部と、前記第二の発光部及び前記第二の受光部の一方が設けられる。
【００１０】
本発明に係る光ピックアップ装置は、筐体に設けられる。また、筐体はその内部にＣＤやＤＶＤ等の光記録媒体を有する。本体部は、光ピックアップ装置の本体となり、光記録媒体の中心から筐体の角部方向に移動可能である。また、本体部には、第一及び第二の発光部と、第一及び第二の対物レンズと、第一及び第二の受光部が設けられる。第一及び第二の発光部は、それぞれ波長の異なるレーザ光を発光することが可能である。尚、実際に光ピックアップ装置を用いる際は、光記録媒体に対応するレーザ光を発光する発光部が用いられ、光記録媒体の種類によって用いられる発光部が異なる。第一及び第二の対物レンズは、本体部の中央部に設けられ、第一及び第二の発光部が発光したレーザ光を記録媒体の記録面に集光し、光記録媒体からの反射光を集光することが可能である。第一の対物レンズは、第一の発光部が発光したレーザ光に対応し、第二の対物レンズは、第二の発光部が発光したレーザ光に対応する。第一及び第二の受光部は、第一及び第二の対物レンズが集光した反射光を各々の受光することが可能である。第一の受光部は、第一の対物レンズに対応し、第二の受光部は、第二の対物レンズに対応する。また、有効空間が、本体部と筐体の角部によって作られる。本体部が光記録媒体の中心から最遠部位に至ったときは、第一の発光部及び第一の受光部と、第二の発光部及び第二の受光部の一方が、有効空間に設けられる。従って、本発明における光ピックアップ装置は、有効空間を利用することにより、光学ドライブ装置の小型化、省スペース化が可能である。
【００１１】
ここで本発明に係る光ピックアップ装置において、前記第一の発光部及び前記第一の受光部と、前記第二の発光部及び前記第二の受光部の他方は、前記第一の発光部及び前記第一の受光部と、前記第二の発光部及び前記第二の受光部の一方と、前記第一及び第二の対物レンズを挟むように配置されてもよい。
【００１２】
本発明に係る光ピックアップ装置は、本体部が光記録媒体の中心から最遠部位に至ったときは、第一の発光部及び第一の受光部と、第二の発光部及び第二の受光部の一方が、前記有効空間に設けられる。そして、第一の発光部及び第一の受光部と、第二の発光部及び第二の受光部の他方が、第一の発光部及び第一の受光部と、第二の発光部及び第二の受光部の一方と、第一及び第二の対物レンズを挟むように配置されることにより、光ピックアップ装置の本体部のスペースを有効に利用することが可能である。その結果、本発明に係る光ピックアップ装置は、光学ドライブ装置の小型化、省スペース化が可能である。
【００１３】
更に、本発明に係る光ピックアップ装置は、前記第一の発光部及び前記第一の受光部と、前記第二の発光部及び前記第二の受光部は、前記第一及び第二の対物レンズを基準として、点対称に配置されてもよい。本発明に係る光ピックアップ装置は、第一の発光部及び第一の受光部と、第二の発光部及び第二の受光部の配置のバランスが良くなる。
【００１４】
ここで本発明に係る光ピックアップ装置において、前記第一の発光部及び前記第一の受光部と、前記第二の発光部及び前記第二の受光部の少なくともどちらか一方は、該発光部と該受光部が一体となった受発光部でもよい。本体部が、第一の発光部及び第一の受光部と、第二の発光部及び第二の受光部とを設けるためのスペースが狭くてもよい。従って、本発明に係る光ピックアップ装置は、光学ドライブ装置の小型化、省スペース化が可能である。
【００１５】
ここで本発明に係る光ピックアップ装置において、前記第一の発光部は、青色系のレーザ光を発光し、前記第二の発光部は、赤色系のレーザ光を発光し、前記本体部が前記光記録媒体の中心から最遠部位に至ったときに、前記有効空間に前記第二の発光部及び前記第二の受光部が設けられてもよい。
【００１６】
第一の発光部が青色系のレーザ光を発光することにより、第一の対物レンズが該レーザ光を光記録媒体の記録面に集光し、且つ、光記録媒体からの反射光を集光する。また、第一の受光部が、第一の対物レンズが集光した反射光を受光する。一方、第二の受光部が赤色系のレーザ光を発光することにより、第二の対物レンズが該レーザ光を光記録媒体の記録面に集光し、且つ、光記録媒体からの反射光を集光する。また、青色系のレーザ光に対応する部品は、赤色系のレーザ光に対応する部品よりも数が多い。従って、本体部が光記録媒体の中心から最遠部位に至ったときは、青色系のレーザ光よりも部品の数の少ない赤色系のレーザ光が対応する第二の発光部及び第二の受光部が、有効空間に配置されことにより、領域に限りのある有効空間をより有効に利用することが可能である。
【００１７】
また、本発明に係る光ピックアップ装置は、可動することにより前記第一の対物レンズの焦点距離を微調整するコリメートレンズと、前記コリメートレンズを可動させるコリメートレンズ用モータ部と、を更に備えてもよい。
【００１８】
青色系のレーザ光に対応する第一の対物レンズは、赤色系のレーザ光に対応する第二の対物レンズよりも短距離集光が可能であり、開口数が高い。しかし、開口数が高い程、ぼけや歪みが生じてしまい、第一の対物レンズ自体の可動のみではぼけや歪みを補正することが難しい。そこで、本発明に係る光ピックアップ装置は、コリメートレンズを可動させ、第一の対物レンズの焦点距離を微調整し、ぼけや歪みを補正することが可能である。尚、コリメートレンズ用モータ部によって、コリメートレンズを可動させる。一方、赤色系のレーザに対応する第二の対物レンズは、開口数が低く、ぼけや歪みが生じにくい。従って、第二の対物レンズは、該第二の対物レンズ自体の可動のみで焦点距離を調整することが可能であるため、コリメートレンズは可動しなくてもよい。
【００１９】
ここで本発明に係る光ピックアップ装置において、互いに平行に位置し、前記本体部を移動させる主軸と副軸とを更に備え、前記主軸は、前記第二の発光部及び前記第二の受光部側に設けられ、前記副軸は、前記第一の発光部及び前記第一の受光部側に設けられてもよい。更に、本発明に係る光ピックアップ装置は、前記コリメートレンズと前記コリメートレンズ用モータ部は、前記副軸側に設けられてもよい。
【００２０】
本発明に係る光ピックアップ装置は、主軸と副軸とを備えることにより、光記録媒体の径方向であって、光記録媒体の中心から筐体の角部方向に、安定した状態で本体部を移動
することが可能である。また、本発明に係る光ピックアップ装置は、部品の少ない赤色系レーザ光に対応する第二の発光部及び第二の受光部を主軸側に設け、部品の多い青色系レーザ光に対応する第一の発光部、第一の受光部、コリメートレンズ及びコリメートレンズ用モータ部を副軸側に設けることによって、領域に限りのある有効空間をより有効に利用することが可能である。
【００２１】
本発明に係る光学ドライブ装置は、光ピックアップ装置と、前記筐体の内部に設けられ、前記光ピックアップ装置及び前記光記録媒体が設置されるドライブベースと、前記ドライブベースの外部と前記筐体の内部の間に設けられ、該ドライブベース及び前記光ピックアップ装置に伝わる振動を緩和する振動緩和部と、を備え、前記振動緩和部は、前記角部の端部側に設けられ、前記有効空間は、前記角部の内側に設けられてもよい。
【００２２】
筐体に外部からの振動が伝わることにより、第一及び第二の対物レンズが、第一及び第二の発光部が発光したレーザ光を光記録媒体の記録面に集光し、光記録媒体からの反射光を集光する際に、光がずれてしまい、音飛び、エラーが発生する可能性がある。そこで、本発明に係る光学ドライブ装置は、振動緩和部によって筐体に伝わる振動を緩和することにより、音飛び、エラーを抑制することが可能である。また、振動緩和部が角部の端部側に設けられ、有効空間が角部の内側に設けられることにより、有効空間が更に領域に限りがある状態となる。従って、本発明に係る光ピックアップ装置は、本体部が送り軸に沿った移動の中で、光記録媒体の中心から最遠部位に至ったときは、部品の少ない赤色系レーザ光に対応する第二の発光部及び第二の受光部が前記有効空間に設置されることにより、領域に限りのある有効空間をより有効に利用することが可能である。
【００２３】
また、光学ドライブ装置は、車載器の一部として設けられてもよい。光学ドライブ装置が車載器の一部として設けられる際は、事実上車載機器業界の標準規格であるＤＩＮ規格の内、光学ドライブ装置の取り付けサイズは、高さ５０ｍｍ×幅１７８ｍｍであり、小型化が必須である。また、光学ドライブ装置の奥行きに関しても、他に車に搭載される車載機器の関係上、制約事項が多い。従って、本発明に係る光学ドライブ装置は、領域に限りのある有効空間をより有効に利用することにより、光学ドライブ装置の小型化、省スペース化が可能であり、車載器の一部として設けることが可能である。
【発明の効果】
【００２４】
本発明によれば、異なる光学特性を有する複数の種類の光記録媒体に対する各々の発光部及び受光部の配置を工夫することにより、光学ドライブ装置の小型化、省スペース化が可能な光ピックアップ装置を提供することが可能である。
【図面の簡単な説明】
【００２５】
【図１】従来の光ピックアップ装置を示す上面概略図である。
【図２】本発明の実施例に係る光ピックアップ装置が設けられた光学ドライブ装置を示す上面概略図である。
【図３】上面のカバーを外した状態の本発明の実施例に係る光ピックアップ装置を示す上面概略図である。
【図４】上面のカバーを取り付けた状態の本発明の実施例に係る光ピックアップ装置を示す上面概略図である。
【発明を実施するための形態】
【００２６】
ここで、本発明の実施例に係る光ピックアップ装置２及び光学ドライブ装置１について、図面に基づいて説明する。以下に示す実施例は例示であり、本発明はこれらに限定されるものではない。図２は、本発明の実施例の光ピックアップ装置２が設けられた光学ドライブ装置１を示す上面概略図である。図３は、本発明の実施例に係る光ピックアップ装置
２が、青色系の光記録媒体に対応する発光部と受光部とが分かれており、赤色系の光記録媒体に対応する発光部と受光部とが一体となっており、上面のカバーを外した状態を示す上面概略図である。図４は、本発明の実施例に係る光ピックアップ装置２が、赤色系及び青色系の光記録媒体に対応する発光部と受光部が一体となっている受発光部を備え、上面のカバーを取り付けた状態を示す上面概略図である。尚、本発明の実施例に係る光ピックアップ装置２において、図１に示す従来の光ピックアップ装置２と同じ構成は、同じ符号を付してある。また、本発明の実施例に係る光学ドライブ装置１は、車載機器の一部として設けられ、例えばカーオーディオである。
【００２７】
本発明の実施例に係る光学ドライブ装置１の各構造について説明する。本発明の実施例に係る光学ドライブ装置１は、図２に示すように、筐体３、ドライブベース４（斜線部）、振動緩和部５、及び光ピックアップ装置２を主な構成とする。以下、各構成について具体的に説明する。
【００２８】
先ず、筐体３について説明する。筐体３は、直方体形状つまり箱形であり、ドライブベース４、振動緩和部５及び光ピックアップ装置２を収容している。また、筐体３は、パーソナルコンピュータ等の情報処理装置や各種映像音声機器に収容可能である。また、筐体３は、該筐体３の外部からの衝撃等から、該筐体３の内部に収容されている構成を保護し、例えば金属板でできている。また、このような構成上、筐体３は金属板の組み合わさる直方体の頂点や辺の部分である角部を有し、ここは部品を配置する際に設計自由度に制限のある場所である。しかし、部品の配置によっては無駄な空間となるが、裏を返せば有効利用も可能となる所定の有効空間が設けられているものと考えられる。
【００２９】
ドライブベース４について説明する。ドライブベース４は、筐体３内に設けられ、スピンドルモータ６と光ピックアップ装置２が設置される。スピンドルモータ６は、ドライブベース４の略中央部に設けられ、光記録媒体７の中心の孔（不図示）と嵌合し、スピンドルモータ６が回転することにより、光記録媒体７を回転させることが可能である。光記録媒体７は、例えば直径１２０ｍｍのＣＤ、ＤＶＤ、ＨＤ−ＤＶＤ、又はブルーレイディスク等の光ディスクである。
【００３０】
振動緩和部５は、筐体３の角部の端部側であって、ドライブベース４の外部と筐体３の内部の間に４箇所設けられ、ドライブベース４及び光ピックアップ装置２に伝わる振動を緩和することが可能である。従って、振動緩和部５は、光ピックアップ装置２が光記録媒体７に発光するレーザ光や、光記録媒体７からの反射光が、ドライブベース４や光ピックアップ装置２に振動が伝わることによる、ずれを防止し、音飛び及びエラーの発生を抑制することが可能である。振動緩和部５は、バネのような弾性体を用いて、衝撃を弱めたり、振動が伝わるのを止めたりするための装置であるダンパ等である。
【００３１】
光ピックアップ装置２は、図３に示すように、本体部２１、送り軸、第一の発光部２２、第一の受光部２３、第一の対物レンズ２４、第二の受発光部３６、第二の対物レンズ２７を主な構成とする。以下、光ピックアップ装置２について、図２及び図３に基づき具体的に説明する。
【００３２】
本体部２１について説明する。本体部２１は、光ピックアップ装置２の本体となり、図２に示すように、送り軸によって光記録媒体７の中心から筐体３の角部方向へ、該記録媒体の径方向に移動可能である。本体部２１には、光ピックアップ装置２の各構成が設置されている。
【００３３】
送り軸について説明する。送り軸は、図２に示すように、光記録媒体７の中心から筐体３及びドライブベース４の角部方向に配置される。送り軸は、本体部２１を移動させる主
軸３１と副軸３２とを有し、該主軸３１と該副軸３２は、本体部２１の光記録媒体７の中心方向に対して垂直方向の端部に、各々平行に設けられる。また、主軸３１は、副軸３２よりも筐体３及びドライブベース４の角部方向に近い位置に配置され、副軸３２よりも径が太い。また、主軸３１は、軸用モータ部３０によって、本体部２１を移動させるために可動する。主軸３１は、送りネジ３８を有し、該送りネジ３８の光記録媒体７の中心方向の端部には、軸受け４１が設けられている。本体部２１の送りネジ３８と対向する部位に、送りネジ３８とかみ合う送り機構３９が設けられ、軸用モータ部３０が送りネジ３８を回転することによって、本体部２１が光記録媒体７の中心から筐体３及びドライブベース４の角部方向の間を移動することが可能である。尚、軸用モータ部３０は、一定の間隔で瞬間的に電流量を変動させるパルス状の入力電流によって駆動するステッピングモータ等である。
【００３４】
第二の受発光部３６及び第二の対物レンズ２７について説明する。第二の受発光部３６は、図３に示すように、発光部と受光部が一体となっており、本体部２１の主軸３１側であって、光記録媒体７の中心と反対側に設けられる。また、第二の受発光部３６は、本体部２１が送り軸に沿った移動の中で、光記録媒体７の中心から最遠部位に至ったときは、第二の受発光部３６が筐体３の角部の内側に設けられた有効空間（図２参照）に配置される。従って、本発明に係る光ピックアップ装置２は、筐体３の角部に設けられる有効空間を利用することにより、光学ドライブ装置１の小型化、省スペース化が可能である。
【００３５】
また、第二の受発光部３６は、ＣＤやＤＶＤの光記録媒体７に対応する赤色系のレーザ光を第二の折り曲げミラー４５に向かって発光する。レーザ光は、第二の折り曲げミラー４５によって反射偏向され、第二の折り曲げミラー４５とアクチュエータ４６の間に設けられた第二のコリメートレンズ４３を通過し、立上ミラー（不図示）によって略９０度または入射角４５度の角度で光記録媒体７の記録面方向に反射偏向され、第二の対物レンズ２７に向かう。レーザ光は、第二のコリメートレンズ４３を通過することによって、集光し平行になる。尚、第二の受発光部３６が発光するレーザ波長は６５０ｎｍである。第二の対物レンズ２７は、本体部２１の中央部に設けられたアクチュエータ４６に配置されており、ＣＤやＤＶＤ対応の対物レンズである。また、第二の対物レンズ２７は、第二の受発光部３６が発光したレーザ光を光記録媒体７の記録面に集光し、光記録媒体７からの反射光を集光する。そして、第二の受発光部３６は、第二の対物レンズ２７が集光した反射光を受光する。第二の受発光部３６からの出力は、図示しない信号検出回路に入力され、光記録媒体７の再生信号、フォーカシングエラー信号及びトラッキングエラー信号が生成される。これらフォーカシングエラー信号及びトラッキングエラー信号がアクチュエータ４６に入力され、信号再生が正しく行われるよう、第二の対物レンズ２７を位置決めするのに用いられる。
【００３６】
第一の発光部２２、第一の対物レンズ２４、及び第一の受光部２３について説明する。第一の発光部２２は、図３に示すように、本体部２１の副軸３２側に設けられ、ＨＤ−ＤＶＤやブルーレイディスクの光記録媒体７に対応する青色系のレーザ光を第一の折り曲げミラー４４に向かって発光する。レーザ光は、第一の折り曲げミラー４４によって反射偏向され、第一の折り曲げミラー４４とアクチュエータ４６の間に設けられた第一のコリメートレンズ２８を通過し、立上ミラー（不図示）によって略９０度または入射角４５度の角度で光記録媒体７の記録面方向に反射偏向され、第一の対物レンズ２４に向かう。レーザ光は、第一のコリメートレンズ２８を通過することによって、集光し平行になる。尚、第一のコリメートレンズ２８は可動する。具体的な動作については後述する。また、第一の発光部２２が発光するレーザ波長は４０５ｎｍの短波長である。第一の対物レンズ２４は、本体部２１の中央部に設けられたアクチュエータ４６に配置されており、ＨＤ−ＤＶＤやブルーレイディスク対応の対物レンズである。また、第一の対物レンズ２４は、第一の発光部２２が発光したレーザ光を光記録媒体７の記録面に集光し、光記録媒体７からの
反射光を集光する。第一の受光部２３は、本体部２１の副軸３２側に設けられ、ＨＤ−ＤＶＤやブルーレイディスクに対応する受光部であり、第一の対物レンズ２４が集光した反射光を受光する。第一の受光部２３からの出力は、図示しない信号検出回路に入力され、光記録媒体７の再生信号、フォーカシングエラー信号及びトラッキングエラー信号が生成される。これらフォーカシングエラー信号及びトラッキングエラー信号がアクチュエータ４６に入力され、信号再生が正しく行われるよう、第一の対物レンズ２４を位置決めするのに用いられる。尚、第一の発光部２２及び第一の受光部２３と、第二の受発光部３６は、第一の対物レンズ２４及び第二の対物レンズ２７を基準として、点対称に配置される。その結果、本発明に係る光ピックアップ装置２は、第一の発光部２２及び第一の受光部２３が筐体３に接触し難い配置となるため、筐体３のサイズを大きくする必要がなく、光学ドライブ装置１の小型化、省スペース化が可能である。また、第一の発光部２２及び第一の受光部２３と、第二の受発光部３６の配置のバランスが良くなる。尚、本発明に係る光ピックアップ装置２は、第一の発光部２２及び第一の受光部２３と、第二の受発光部３６が、第一の対物レンズ２４及び第二の対物レンズ２７を挟むように配置する場合や、第一の発光部２２及び第一の受光部２３と、第二の受発光部３６と、第一の対物レンズ２４及び第二の対物レンズ２７が、直線上に配置される場合でもよい。
【００３７】
また、本発明の実施例に係る光ピックアップ装置２は、図４に示すように、第一の発光部２２と第一の受光部２３が一体となった第一の受発光部３５を用いてもよい。その結果、本発明の実施例に係る光ピックアップ装置２は、第一の発光部２２と第一の受光部２３を設けるためのスペースが狭くてもよいため、省スペース化が可能である。
【００３８】
第一のコリメートレンズ２８について説明する。第一のコリメートレンズ２８は、図３に示すように、第一の発光部２２及び第一の受光部２３と、第一の対物レンズ２４の間に設けられる。青色系のレーザに対応する第一の対物レンズ２４は、赤色系のレーザに対応する第二の対物レンズ２７よりも短距離集光が可能であり、開口数が高い。しかし、開口数が高い程、ぼけや歪みが生じてしまい、第一の対物レンズ２４自体の可動のみでは、ぼけや歪みを補正することが難しい。そこで、本発明の光ピックアップ装置２は、第一のコリメートレンズ２８を可動することにより、第一の対物レンズの焦点距離を微調整し、ぼけや歪みを補正することが可能である。第一のコリメートレンズ２８の可動方法は、図３に示すように、コリメートレンズ用モータ２９が可動することによりウォーム３４が回転し、ウォーム３４が回転することによりウォームホイール３３が回転する。ウォームホイール３３が回転することにより、ウォームホイール３３の内部に設けられたピニオン３７も同時に回転する。ピニオン３７が回転することにより、ラック４２が移動し、ラック４２に設けられた第一のコリメートレンズ２８を移動することが可能である。
【００３９】
以上により、本発明の実施例に係る光ピックアップ装置２は、赤色系のレーザに対応する部品よりも青色系のレーザに対応する部品の方が、コリメートレンズ用モータ２９、ウォーム３４、ウォームホイール３３、ピニオン３７、及びラック４２だけ数が多い。更に、軸用モータ部３０が、光記録媒体７と接触しない主軸３１側に設けられることにより、筐体の角部に設けられた所定の有効空間がより狭くなる。つまり、空間の有効利用ができ、車載器において重要な小型化に大きく貢献する。従って、本発明の実施例に係る光ピックアップ装置２は、部品の少ない赤色系レーザに対応する第二の受発光部３６を主軸３１側に設け、部品の多い青色系レーザに対応する第一の発光部２２、第一の受光部２３を副軸側に設け、本体部２１が送り軸に沿った移動の中で、光記録媒体７の中心から最遠部位に至ったときは、第二の受発光部３６が、有効空間に配置されことにより、領域に限りのある有効空間をより有効に利用することが可能である。その結果、本発明の実施例に係る光ピックアップ装置２は、筐体３と接触するのを回避するために該筐体３を大型化する必要がなく、光学ドライブ装置１の小型化、省スペース化が可能である。
【００４０】
また、光学ドライブ装置１が車載機器の一部として設けられる際は、事実上車載機器業界の標準規格であるＤＩＮ規格の内、光学ドライブ装置の取り付けサイズが、高さ５０ｍｍ×幅１７８ｍｍであり、小型化が必須である。また、光学ドライブ装置の奥行きに関しても、車に搭載される他の車載機器との関係上、制約事項が多い。従って、本発明の実施例に係る光学ドライブ装置１は、光学ドライブ装置１の小型化、省スペース化が可能であるため、車載器の一部として設けることに適している。
【符号の説明】
【００４１】
１・・・光学ドライブ装置
２・・・光ピックアップ装置
２１・・・本体部
２２・・・第一の発光部
２３・・・第一の受光部
２４・・・第一の対物レンズ
２７・・・第二の対物レンズ
２８・・・第一のコリメートレンズ
２９・・・コリメートレンズ用モータ
３０・・・軸用モータ部
３１・・・主軸
３２・・・副軸
３３・・・ウォームホイール
３４・・・ウォーム
３５・・・第一の受発光部
３６・・・第二の受発光部
３７・・・ピニオン
３８・・・送りネジ
３９・・・送り機構
４１・・・軸受け
４２・・・ラック
４３・・・第二のコリメートレンズ
４４・・・第一の折り曲げミラー
４５・・・第二の折り曲げミラー
４６・・・アクチュエータ
３・・・ケース
４・・・筐体
５・・・振動緩和部
６・・・スピンドルモータ
７・・・光記録媒体
【図１】
2010225206.tif 000003
【図２】
2010225206.tif 000004
【図３】
2010225206.tif 000005
【図４】
2010225206.tif 000006